(57)【要約】【課題】使い勝手のよい水切り籠を提供する。【解決手段】水切り籠２０は、前側面部３０と後側面部３２とが対向し、左側面部３４と右側面部３６とが対向し、底面部３８はいずれかの側面部材と係合して底面として位置決めされており、シンク１０に収容される。この水切り籠２０において、左側面部３４と右側面部３６との間隔が調整可能となるよう、前側面部３０および後側面部３２を折り畳み可能な構造とするとともに、底面部３８も折り畳み可能な構造とした。【選択図】図１
2010035749.tif 000002
【特許請求の範囲】
【請求項１】
四角形の底面部材と、それぞれがその底面部材の４つの辺のひとつに近接して立設された第１から第４の側面部材とを有し、空いている上面部から食器を導入可能とされた、シンク内に収容される水切り籠において、
第１および第３の側面部材が対向し、第２および第４の側面部材が対向し、底面部材は第１から第４の側面部材の少なくとも１つと係合して底面として位置決めされるとき、
第１および第３の側面部材同士の間隔が調整可能となるよう、第２および第４の側面部材をこの水切り籠の内側に折り畳み可能な構造とするとともに、底面部材もこの水切り籠の内側に折り畳み可能な構造としたことを特徴とする水切り籠。
【請求項２】
四角形の底面部材と、それぞれがその底面部材の４つの辺のひとつに近接して立設された第１から第４の側面部材とを有し、空いている上面部から食器を導入可能とされた、シンク内に収容される水切り籠において、
第１および第３の側面部材が対向し、第２および第４の側面部材が対向し、底面部材は第１から第４の側面部材の少なくとも１つと係合して底面として位置決めされるとき、
第１および第３の側面部材同士の間隔が調整可能となるよう、第２および第４の側面部材をこの水切り籠の内側に折り畳み可能な構造とするとともに、底面部材は係合相手の側面部材からの取り外しを可能な構造としたことを特徴とする水切り籠。
【請求項３】
前記第１の側面部材は、当該水切り籠に導入される食器を支持するための突起が形成された棒部材を有し、
前記棒部材は、当該水切り籠の所定位置にて前記突起を立設させるよう回動可能な構造としたことを特徴とする請求項１または２に記載の水切り籠。
【請求項４】
前記第１または第３の側面部材は、前記第３または第１の側面部材との間隔が縮まったときにその間隔を維持するよう当該第３または第１の側面部材を掛止するための掛止部材を有することを特徴とする請求項１から３のいずれかに記載の水切り籠。
【請求項５】
前記第１および第３の側面部材のうち水道の蛇口に近い側の側面部材は、その外側壁に、少なくともまな板を保持するための保持部材を有することを特徴とする請求項１から４のいずれかに記載の水切り籠。
【発明の詳細な説明】
【技術分野】
【０００１】
この発明は、食器の水切りに使用される水切り籠に関する。
【背景技術】
【０００２】
洗い終わった食器を水切りし、乾燥させるための台所用具として、様々な態様の水切り籠がある。台所の大きさは限られており、シンク内を有効に活用するために、シンク内に設置可能な水切り籠もある。以下の特許文献１では、シンクの大きさに合わせてシンク内に設置可能なように、その大きさを調整可能な水切り籠が提案されている。
【特許文献１】特開平１１−０２８１８３号公報
【発明の開示】
【発明が解決しようとする課題】
【０００３】
シンクの大きさは限られているため、食器を収納しないとき、シンク内における水切り籠の占有スペースは小さい方が望ましい。しかし、従来提案されている水切り籠では、食器を収納しないときでも、比較的大きな占有スペースを必要としていた。この結果、シンクの残りスペースでの作業が困難になり、水切り籠の使い勝手を悪くすることがあった。
【０００４】
本発明は、こうした課題に鑑みてなされたものであり、その主たる目的は、使い勝手のよい水切り籠を提供することである。
【課題を解決するための手段】
【０００５】
上記課題を解決するために、本発明のある態様の水切り籠は、四角形の底面部材と、それぞれがその底面部材の４つの辺のひとつに近接して立設された第１から第４の側面部材とを有し、空いている上面部から食器を導入可能とされた、シンク内に収容される水切り籠において、第１および第３の側面部材が対向し、第２および第４の側面部材が対向し、底面部材は第１から第４の側面部材の少なくとも１つと係合して底面として位置決めされるとき、第１および第３の側面部材同士の間隔が調整可能となるよう、第２および第４の側面部材をこの水切り籠の内側に折り畳み可能な構造とするとともに、底面部材もこの水切り籠の内側に折り畳み可能な構造とした。
【０００６】
この態様の水切り籠によれば、食器を収納しないときには、第２および第４の側面部材と、底面部材とを折り畳むことができる。これにより、第１および第３の側面部材の間隔が縮小して、シンク内における水切り籠の占有スペースを縮小できる。また、水切り籠の内側に折り畳まれるため、折り畳みに伴って新たなスペースを必要としない。
【０００７】
本発明の別の態様もまた、水切り籠である。この水切り籠は、四角形の底面部材と、それぞれがその底面部材の４つの辺のひとつに近接して立設された第１から第４の側面部材とを有し、空いている上面部から食器を導入可能とされた、シンク内に収容される水切り籠において、第１および第３の側面部材が対向し、第２および第４の側面部材が対向し、底面部材は第１から第４の側面部材の少なくとも１つと係合して底面として位置決めされるとき、第１および第３の側面部材同士の間隔が調整可能となるよう、第２および第４の側面部材をこの水切り籠の内側に折り畳み可能な構造とするとともに、底面部材は係合相手の側面部材からの取り外しを可能な構造とした。
【０００８】
この態様の水切り籠によれば、食器を収納しないときには、底面部材を取り外して、第２および第４の側面部材を折り畳むことができる。これにより、第１および第３の側面部材の間隔が縮小して、シンク内における水切り籠の占有スペースを縮小できる。また、水切り籠の内側に折り畳まれるため、折り畳みに伴って新たなスペースを必要としない。
【０００９】
第１の側面部材は、当該水切り籠に導入される食器を支持するための突起が形成された棒部材を有してもよい。棒部材は、当該水切り籠の所定位置にて突起を立設させるよう回動可能な構造としてもよい。この態様の水切り籠によれば、食器収納時には、作業者が棒部材を回動させて水切り籠内に突起を配設できる。作業者はその突起を利用して皿やコップ等の食器を係止でき、また、食器を立てかけて水切りを促進できるため、水切り籠の使い勝手が向上する。
【００１０】
第１または第３の側面部材は、第３または第１の側面部材との間隔が縮まったときにその間隔を維持するよう当該第３または第１の側面部材を掛止するための掛止部材を有してもよい。この態様の水切り籠によれば、作業者が第１および第３の側面部材の間隔を縮小させたとき、掛止部材により第３の側面部材を掛止できる。その結果、占有スペースが縮小した水切り籠の状態が維持される。言い換えれば、作業者の意図に反して第１および第３の側面部材の間隔が伸長し、水切り籠の占有スペースが拡大することを防止できる。
【００１１】
第１および第３の側面部材のうち水道の蛇口に近い側の側面部材は、その外側壁に、少なくともまな板を保持するための保持部材を有してもよい。これによると、水切り籠に格納された食器と水道の蛇口との間にまな板を保持できる。この結果、まな板が壁となって、水道の蛇口から飛散した水が食器に付着することを抑止でき、水切り籠の使い勝手が向上する。
【発明の効果】
【００１２】
本発明によれば、使い勝手のよい水切り籠を提供できる。
【発明を実施するための最良の形態】
【００１３】
図１は、本発明の実施の形態である水切り籠の設置イメージを示す。以下の説明では、シンク１０で食器洗い等を実行する作業者の視点からシンク１０内の位置を前後左右で表記する。すなわち図１のシンク１０において、手前側を「前」、蛇口１２が設置された側を「後」、水切り籠２０が設置された側を「右」とする。
【００１４】
水切り籠２０は、シンク１０の上部開口縁に前後方向に掛止されてシンク１０内に設置される。また水切り籠２０は、典型的には、図１のように蛇口１２がシンク１０の左側にあるときにはシンク１０の右端に設置され、蛇口１２がシンク１０の右側にあるときにはシンク１０の左端に設置される。ただし、作業者の都合に応じてシンク１０内の任意の場所に設置されてもよい。以下の説明では、水切り籠２０はシンク１０の右端に設置されることとする。
【００１５】
水切り籠２０は、その側面を形成する４つの側面部材、すなわち前側面部３０と後側面部３２と左側面部３４と右側面部３６とを備える。水切り籠２０はさらに、少なくとも１つの側面部材と係合してその底面を形成する底面部３８を備える。特に断らない限り、水切り籠２０の各構成部材の素材はステンレス鋼であることとする。
【００１６】
以下、水切り籠２０の具体例として、第１から第４の実施の形態をそれぞれ説明する。いずれの実施の形態においても、左側面部３４と右側面部３６との間隔が調整可能となるように、前側面部３０および後側面部３２が折り畳み可能に構成される。第１から第３の実施の形態における底面部３８は折り畳み可能に構成される。これに対し、第４の実施の形態における底面部３８は、係合相手の側面部材からの取り外しが可能に構成される。したがって、いずれの実施の形態の水切り籠２０においても、食器収納の有無に応じて、作業者は左側面部３４と右側面部３６との間隔を調整でき、その占有スペースを調節できる。
【００１７】
（第１の実施の形態）
図２は、本発明の第１の実施の形態（以下、適宜「第１実施形態」ともいう）の水切り籠２０の構成を示す。なお図２以降の図では、特に断らない場合、左側面部３４を正面に記載している。前側面部３０は、棒部材が縦横に組み合わされて四角形状に形成され、連結部材３０ａにより左側面部３４と連結される。連結部材３０ａはヒンジであってもよく、連結の対象となる２つの棒部材を保持し、そのうち少なくとも１つの棒部材を回動可能に保持する。他の連結部材についても同様である。この連結部材３０ａは、前側面部３０と左側面部３４とを近接させた状態に保持し、前側面部３０の一端の棒部材を回動可能に保持する。連結部材３０ａは、前側面部３０が左側面部３４と平行する状態から左側面部３４と直交する状態まで回動可能なように、前側面部３０の棒部材の回動角度を制限する。例えば、回動角度を９０度に制限する。
【００１８】
後側面部３２も前側面部３０と同様に形成され、連結部材３２ａにより左側面部３４と連結される。連結部材３２ａも連結部材３０ａと同様である。なお、前側面部３０および後側面部３２はいずれも、右側面部３６および底面部３８とは連結されない。
【００１９】
左側面部３４も、棒部材が縦横に組み合わされて四角形状に形成される。左側面部３４は、シンク１０の上部開口縁に架け渡すための棒部材である架設部材３４ａをその上端に有する。架設部材３４ａはその両端が調節部材３４ｂに接続される。調節部材３４ｂには架設部材３４ａの外径よりもやや大きな内径の孔が形成されており、架設部材３４ａはその孔に挿通される。また、調節部材３４ｂは、シンク１０の前後の幅に合わせて架設部材３４ａを保持する長さを調節可能なように構成される。例えば、調節部材３４ｂに挿通された架設部材３４ａをスライドさせることによりその長さが調節されてもよい。調節部材３４ｂの外周面は、滑り止め部材３４ｃにより覆われる。滑り止め部材３４ｃは、典型的にはゴム素材で形成され、シンク１０の上部開口縁に直接接する。滑り止め部材３４ｃは、公知の滑り止め構造を有してもよい。
【００２０】
また、左側面部３４の下端には、保持部材３４ｄが設けられる。保持部材３４ｄは、水切り籠２０の外側に少なくともまな板を保持可能なように形成される。保持部材３４ｄの具体的な形状および大きさについては、一般的と想定されるまな板を保持可能な形状および大きさが開発者の知見や実験により決定されればよい。
【００２１】
右側面部３６も、棒部材が縦横に組み合わされて四角形状に形成される。左側面部３４と同様に、右側面部３６は、シンク１０の上部開口縁に架け渡すための棒部材である架設部材３６ａをその上端に有する。調節部材３６ｂおよび滑り止め部材３６ｃについても、上述した調節部材３４ｂおよび滑り止め部材３４ｃと同様である。
【００２２】
また、架設部材３６ａの上端には、掛止部材３６ｄが回動可能に設けられる。掛止部材３６ｄは、右側面部３６と左側面部３４との間隔が縮まったときにその間隔を維持するよう左側面部３４の架設部材３４ａを掛止する。したがって、掛止部材３６ｄの長さは、前側面部３０、後側面部３２および底面部３８が折り畳まれたときの右側面部３６と左側面部３４との間隔より少なくとも長く設定される。
【００２３】
底面部３８も、棒部材が縦横に組み合わされて四角形状に形成される。底面部３８は、固定底面部３８ａと左可動底面部３８ｂと右可動底面部３８ｃとが連結部材３８ｄにより連結されて構成される。固定底面部３８ａは、左側面部３４の下端と接続されて固定される。後述するように、固定底面部３８ａにより確保される領域に前側面部３０および後側面部３２が収納される。
【００２４】
左可動底面部３８ｂは、連結部材３８ｄにより固定底面部３８ａおよび右可動底面部３８ｃと連結される。左可動底面部３８ｂは、底面部３８が折り畳まれるとき、固定底面部３８ａに近接した棒部材を軸に回動し、右可動底面部３８ｃに近接した棒部材の位置が上に移動する。すなわち、左可動底面部３８ｂは右側を上にして傾くことになる。
【００２５】
右可動底面部３８ｃは、連結部材３８ｄにより左可動底面部３８ｂおよび右側面部３６と連結される。右可動底面部３８ｃは、底面部３８が折り畳まれるとき、右側面部３６に近接した棒部材を軸に回動し、左可動底面部３８ｂに近接した棒部材の位置が上に移動する。すなわち、右可動底面部３８ｃは左側を上にして傾くことになる。連結部材３８ｄは、左可動底面部３８ｂおよび右可動底面部３８ｃが水平面より下まで回動しないように、保持した棒部材の回動角度を制限する。
【００２６】
以上の構成による動作を以下説明する。
図３は、第１実施形態の水切り籠２０の動作イメージを示す。水切り籠２０を折り畳む場合、作業者はまず、図３（ａ）にて示すように、前側面部３０および後側面部３２を折り畳んで固定底面部３８ａにより確保される領域に収納する。作業者は続いて、左側面部３４を右側面部３６側に押す。その結果、図３（ｂ）にて示すように、左可動底面部３８ｂおよび右可動底面部３８ｃが上に折り畳まれ、左側面部３４と右側面部３６との間隔が縮小する。
【００２７】
第１実施形態の水切り籠２０によれば、食器を収納しないときに、水切り籠２０の占有スペースを縮小でき、シンク１０の空いたスペースを有効に活用できる。また、折り畳みの際に動作する構成部材はいずれも水切り籠２０の内側に移動するため、折り畳みに伴って、新たなスペースを必要とすることがない。言い換えれば、伸長した状態の水切り籠２０がシンク１０内に格納可能であれば、折り畳まれた状態の水切り籠２０もシンク１０内に格納可能である。さらに、この水切り籠２０は、折り畳みが発生する箇所が少なく、折り畳みを容易に実現できる。
【００２８】
なお、折り畳みが容易なように、水切り籠２０が伸長されたときでも、左可動底面部３８ｂと右可動底面部３８ｃとが連結された辺の位置が水平面より上側に位置するように、連結部材３８ｄは保持した棒部材の回動角度を所定の角度に制限してもよい。その角度は、開発者の知見や水切り籠２０を用いた実験により適切な値が決定されればよい。例えば、折り畳みの容易さと食器の収納性とを比較考量して決定される。
【００２９】
図４は、第１実施形態の水切り籠２０が折り畳まれた状態を示す。同図は、折り畳まれた水切り籠２０を前方から見た断面図である。作業者は、左側面部３４と右側面部３６との間隔を縮小させた後、掛止部材３６ｄを回動させて左側面部３４を掛止させる。これにより、作業者の意図に反して左側面部３４と右側面部３６との間隔が拡大することを防止できる。さらに作業者は、保持部材３４ｄにまな板を置くことができる。典型的には図４で示すように、水切り籠２０に対してまな板を斜めに立て掛ける。なお、図４では、水切り籠２０が折り畳まれた状態でまな板を保持しているが、水切り籠２０が伸長しその中に食器を収納した状態でまな板を保持してもよい。この場合は特に、まな板が壁となり、収納した食器に対して蛇口１２から飛散した水が付着することを抑止できる。
【００３０】
（第２の実施の形態）
図５は、本発明の第２の実施の形態（以下、適宜「第２実施形態」ともいう）の水切り籠２０の構成を示す。第２実施形態の水切り籠２０における左側面部３４および右側面部３６の構成は、第１実施形態の水切り籠２０と同様である。以下、第１実施形態の水切り籠２０との相違点について説明する。
【００３１】
前側面部３０は、左前側面部３０ｂと右前側面部３０ｃとが連結部材３０ａにより連結されて構成される。左前側面部３０ｂは、連結部材３０ａにより左側面部３４および右前側面部３０ｃと連結される。左前側面部３０ｂは、前側面部３０が折り畳まれるとき、左側面部３４に近接した棒部材を軸に回動し、右前側面部３０ｃに近接した棒部材の位置が水切り籠２０の内側に変化する。
【００３２】
右前側面部３０ｃは、連結部材３０ａにより左前側面部３０ｂおよび右側面部３６と連結される。右前側面部３０ｃは、前側面部３０が折り畳まれるとき、右側面部３６に近接した棒部材を軸に回動し、左前側面部３０ｂに近接した棒部材の位置が水切り籠２０の内側に変化する。連結部材３０ａは、左前側面部３０ｂおよび右前側面部３０ｃが水切り籠２０の外側まで回動しないように、保持した棒部材の回動角度を制限する。
【００３３】
後側面部３２は、前側面部３０と同様に、左後側面部３２ｂと右後側面部３２ｃとが連結部材３２ａにより連結されて構成される。左後側面部３２ｂは、連結部材３２ａにより左側面部３４および右後側面部３２ｃと連結され、左前側面部３０ｂと同様に動作する。右後側面部３２ｃは、連結部材３２ａにより左後側面部３２ｂおよび右側面部３６と連結され、右前側面部３０ｃと同様に動作する。連結部材３２ａは、連結部材３０ａと同様に、保持した棒部材の回動角度を制限する。
【００３４】
底面部３８は、台形状に形成された左中央底面部３８ｅおよび右中央底面部３８ｊと、三角形状に形成された左端底面部３８ｇ、左端底面部３８ｈ、右端底面部３８ｌおよび右端底面部３８ｍとが連結部材により連結されて構成される。
【００３５】
左中央底面部３８ｅは、連結部材３８ｆにより左側面部３４の下端と連結され、連結部材３８ｉにより左端底面部３８ｇおよび左端底面部３８ｈと連結され、連結部材３８ｋにより右中央底面部３８ｊと連結される。左中央底面部３８ｅは、底面部３８が折り畳まれるとき、左側面部３４に近接した棒部材を軸に回動し、右中央底面部３８ｊに近接した棒部材の位置が上に変化する。
【００３６】
右中央底面部３８ｊは、連結部材３８ｆにより右側面部３６の下端と連結され、連結部材３８ｉにより右端底面部３８ｌおよび右端底面部３８ｍと連結され、上述したように左中央底面部３８ｅとも連結される。右中央底面部３８ｊは、底面部３８が折り畳まれるとき、右側面部３６に近接した棒部材を軸に回動し、左中央底面部３８ｅに近接した棒部材の位置が上に変化する。
【００３７】
左端底面部３８ｇと左端底面部３８ｈと右端底面部３８ｌと右端底面部３８ｍのそれぞれは、前側面部３０または後側面部３２が折り畳まれるとき、左中央底面部３８ｅまたは右中央底面部３８ｊに近接した棒部材を軸に回動し、回動軸に対向する三角形の頂点にあたる位置が上に変化する。連結部材３８ｆ、連結部材３８ｉ、連結部材３８ｋのそれぞれは、底面部３８の構成部材、例えば左中央底面部３８ｅや左端底面部３８ｇ等が水平面より下まで回動しないように、保持した棒部材の回動角度を制限する。
【００３８】
以上の構成による動作を以下説明する。
図６は、第２実施形態の水切り籠２０の動作イメージを示す。水切り籠２０を折り畳む場合、作業者は左側面部３４を右側面部３６側に押して、左前側面部３０ｂおよび右前側面部３０ｃと、左後側面部３２ｂおよび右後側面部３２ｃと、左中央底面部３８ｅおよび右中央底面部３８ｊとをそれぞれ水切り籠の内側に折り畳む。なお、図６で示すように、左前側面部３０ｂおよび右前側面部３０ｃと、左後側面部３２ｂおよび右後側面部３２ｃとの折り畳みに伴って、左端底面部３８ｇ、左端底面部３８ｈ、右端底面部３８ｌおよび右端底面部３８ｍが上方向に回動し、この折り畳みのためのスペースが提供される。これにより、左側面部３４と右側面部３６との間隔が縮小し、水切り籠２０の占有スペースが縮小する。
【００３９】
第２実施形態の水切り籠２０においても、第１実施形態の水切り籠２０と同様の効果が享受される。折り畳みの容易化のために、第１実施形態と同様に、各連結部材は保持した棒部材の回動角度を制限してもよい。例えば、連結部材３８ｉは、左端底面部３８ｇ、左端底面部３８ｈ、右端底面部３８ｌ、右端底面部３８ｍの回動角度を、その回動軸に対向する三角形の頂点にあたる位置が水辺面よりやや上に保持されるように制限してもよい。これにより、前側面部３０および後側面部３２が折り畳まれる際に、その折り畳みに押されて、左端底面部３８ｇ、左端底面部３８ｈ、右端底面部３８ｌおよび右端底面部３８ｍが上方向へスムーズに回動しやすくなる。
【００４０】
（第３の実施の形態）
図７は、本発明の第３の実施の形態（以下、適宜「第３実施形態」ともいう）の水切り籠２０の構成を示す。第３実施形態の水切り籠２０における左側面部３４および右側面部３６の構成は、第１実施形態の水切り籠２０と同様である。以下、第１実施形態の水切り籠２０との相違点について説明する。
【００４１】
前側面部３０は、棒部材３０ｄと、２つの棒部材が連結部材３０ｅにより連結された連結棒部材３０ｆとが線状部材３０ｇにより接続されて四角形状に構成される。線状部材３０ｇは、棒部材３０ｄより細い線状に形成される。線状部材３０ｇの素材は、前側面部３０が折り畳まれるときでも折れ曲がらないだけの強度を有する素材であれば金属でも樹脂でもよいが、特にステンレス鋼により形成されることが望ましい。後述する線状部材３２ｇおよび線状部材３８ｑについても同様である。
【００４２】
連結部材３０ｅは、連結棒部材３０ｆを構成する２つの棒部材を、それぞれが回動可能に保持する。前側面部３０が折り畳まれるとき、連結棒部材３０ｆを構成する２つの棒部材が回動し、その連結棒部材３０ｆの位置が水切り籠２０の内側に変化する。連結部材３０ｅは、水切り籠２０が伸長するとき、連結棒部材３０ｆが水切り籠２０の外側まで回動しないように、保持した棒部材の回動角度を制限する。後述する連結部材３２ｅおよび連結部材３８ｏについても同様である。
【００４３】
後側面部３２は、前側面部３０と同様に、棒部材３２ｄと、２つの棒部材が連結部材３２ｅにより連結された連結棒部材３２ｆとが線状部材３２ｇにより接続されて四角形状に構成される。後側面部３２の動作についても前側面部３０と同様である。
【００４４】
底面部３８は、棒部材３８ｎと、２つの棒部材が連結部材３８ｏにより連結された連結棒部材３８ｐとが線状部材３８ｑにより接続されて四角形状に構成される。底面部３８が折り畳まれるとき、連結棒部材３８ｐを構成する２つの棒部材が回動し、その連結棒部材３８ｐの位置が上に変化する。連結部材３８ｏは、水切り籠２０が伸長するとき、連結棒部材３８ｐが水平面より下まで回動しないように、保持した棒部材の回動角度を制限する。
【００４５】
以上の構成による動作を以下説明する。
図８は、第３実施形態の水切り籠２０の動作イメージを示す。同図では、記載の簡明化のため、水切り籠２０の各構成部材を四角形状で示し、左側面部３４については破線で示している。水切り籠２０を折り畳む場合、作業者は左側面部３４を右側面部３６側に押す。その結果、前側面部３０における連結棒部材３０ｆの棒部材が回動し、その連結棒部材３０ｆの位置が水切り籠２０の内側に移動する。また、後側面部３２における連結棒部材３２ｆの棒部材も回動し、その連結棒部材３２ｆの位置も水切り籠２０の内側に移動する。また、底面部３８における連結棒部材３８ｐの棒部材も回動し、その連結棒部材３８ｐの位置が上に移動する。その結果、前側面部３０、後側面部３２、および底面部３８はアコーディオン状に折り畳まれて、左側面部３４と右側面部３６との間隔が縮小する。
【００４６】
第３実施形態の水切り籠２０においても、第１実施形態の水切り籠２０と同様の効果が享受される。なお、折り畳みが容易なように、水切り籠２０が伸長されたときでも、連結棒部材３０ｆの位置が棒部材３０ｄより内側に位置するように、連結部材３０ｅは保持した棒部材の回動角度を制限してもよい。同様に、連結部材３２ｅおよび連結部材３８ｏも、それぞれ保持した棒部材の回動角度を制限してもよい。
【００４７】
（第４の実施の形態）
図９は、本発明の第４の実施の形態（以下、適宜「第４実施形態」ともいう）の水切り籠２０の構成を示す。第４実施形態の水切り籠２０は、その底面部３８のみ第３実施形態の水切り籠２０と異なり、その他は同様である。以下、第３実施形態の水切り籠２０との相違点について説明する。
【００４８】
底面部３８は、棒部材が縦横に組み合わされて四角形状に形成され、その左端および右端に掛止部材３８ｒを有する。掛止部材３８ｒは、左側面部３４および右側面部３６の下端の棒部材に底面部３８を掛止する。
【００４９】
以上の構成による動作を以下説明する。
第４実施形態の水切り籠２０の動作は、図８において底面部３８が存在しない場合となる。水切り籠２０を折り畳む場合、作業者は水切り籠２０から底面部３８を取り外した上で、左側面部３４を右側面部３６側に押す。以下、第３実施形態の水切り籠２０と同様に動作して、水切り籠２０の占有スペースが縮小する。
【００５０】
第４実施形態の水切り籠２０においても、第１実施形態の水切り籠２０と同様の効果が享受される。また、底面の折り畳みがないため、底面の強度を比較的強くでき、収納可能な食器の総重量も比較的大きくなる。
【００５１】
以上、本発明を実施の形態をもとに説明した。この実施の形態は例示であり、その各構成要素の組み合わせにいろいろな変形例が可能である。また、そうした変形例も本発明の範囲にあることは当業者に理解されるところである。
【００５２】
第１の変形例を説明する。左側面部３４は、水切り籠２０の内側の面に、食器を支持するための突起を配設する突起配設部をさらに有してもよい。図１０は、突起配設部の構成および動作を示す。同図は、水切り籠２０の内側から見た左側面部３４を示し、また記載の簡明化のため、前側面部３０および後側面部３２を破線で示している。突起配設部４０は、回動部４０ａと突起支持部４０ｂと突起部４０ｃとを含む。回動部４０ａは、左側面部３４の棒部材に装着され、突起支持部４０ｂを回動可能に保持する。また、回動部４０ａは、突起支持部４０ｂが左側面部３４に並行に近接した状態から左側面部３４に直交した状態まで回動するように、突起支持部４０ｂの回動角度を制限する。例えば、回動角度を９０度に制限してもよい。突起支持部４０ｂの上部には突起部４０ｃが立設される。
【００５３】
作業者は水切り籠２０に食器を格納するとき、突起支持部４０ｂを、左側面部３４に並行に近接した状態から左側面部３４に直交した状態になるように回動させる。これにより、水切り籠２０の下部から突起部４０ｃが立設した状態となり、作業者はその突起部４０ｃに食器を係止させ、また立て掛けることができる。これにより、食器の整理および水切りが促進される。また作業者は、水切り籠２０を折り畳むとき、あらかじめ、突起支持部４０ｂを左側面部３４に直交した状態から左側面部３４に並行に近接した状態になるよう回動させることで、その折り畳みを突起配設部４０が阻害することを防止できる。なお、左側面部３４に代えて、もしくは左側面部３４とともに、右側面部３６が突起配設部４０を有してもよい。
【００５４】
第２の変形例を説明する。水切り籠２０は、前側面部３０、後側面部３２、左側面部３４、右側面部３６のうち少なくとも１つと係合して水切り籠２０の上面の蓋として位置決めされる蓋部４２をさらに有してもよい。図１１は、蓋部４２の構成を示す。同図では、左側面部３４の架設部材３４ａおよび右側面部３６の架設部材３６ａに係合して、水切り籠２０の上面に設置された蓋部４２を示している。蓋部４２は、掛止部４２ａと通気孔４２ｂとを含む。掛止部４２ａは、蓋部４２の設置位置がずれることを防止する。通気孔４２ｂは、食器の乾燥を促進するために水切り籠２０内部への通気を促す。また、蓋部４２の上に洗った野菜等がさらに置かれてもよく、この場合、通気孔４２ｂは蓋部４２の上に置かれた物に対する水切り孔にもなる。この変形例によれば、水切り籠２０に蓋部４２が装着されることにより、水切り籠２０に食器が収納されているとき、作業者のシンク内での作業により飛散した水がその食器に付着することを抑止できる。また、水洗いした野菜等の一時的な置き場および水切り装置として水切り籠２０を活用できる。
【００５５】
第２の変形例の保持部材３４ｄは、まな板とともに蓋部４２を保持できる形状および大きさに形成される。図１２は、第２の変形例の水切り籠２０が折り畳まれた状態を示す。同図は、図４と同様に、折り畳まれた水切り籠２０を前方から見た断面図である。この変形例によれば、作業者は保持部材３４ｄに保持されたまな板の外側、すなわち蛇口１２に近いところに蓋部４２を置くことができる。これにより、蛇口１２から飛散した水が収納した食器のみならずまな板に付着することも抑止できる。
【００５６】
第３の変形例を説明する。上記の実施の形態においては、折り畳まれた水切り籠２０が作業者の意図に反して伸長しないように掛止部材３６ｄが設けられた。変形例においては、掛止部材３６ｄに代えて、もしくは掛止部材３６ｄとともに、水切り籠２０が折り畳まれる際に近接もしくは密接する構成部材のそれぞれにマグネットが貼着されてもよい。
【００５７】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。例えば、第１実施形態または第２実施形態において提案した前側面部３０、後側面部３２、左側面部３４、右側面部３６と、第４実施形態において提案した取り外し可能な底面部３８とを有する水切り籠もまた本発明の実施の形態として有用である。
【００５８】
請求項に記載の各構成要件が果たすべき機能は、実施の形態および変形例において示された各構成要素の単体もしくはそれらの連係によって実現されることも当業者には理解されるところである。
【図面の簡単な説明】
【００５９】
【図１】本発明の実施の形態である水切り籠の設置イメージを示す図である。
【図２】第１実施形態の水切り籠の構成を示す図である。
【図３】第１実施形態の水切り籠の動作イメージを示す図である。
【図４】第１実施形態の水切り籠が折り畳まれた状態を示す図である。
【図５】第２実施形態の水切り籠の構成を示す図である。
【図６】第２実施形態の水切り籠の動作イメージを示す図である。
【図７】第３実施形態の水切り籠の構成を示す図である。
【図８】第３実施形態の水切り籠の動作イメージを示す図である。
【図９】第４実施形態の水切り籠の構成を示す図である。
【図１０】突起配設部の構成および動作を示す図である。
【図１１】蓋部の構成を示す図である。
【図１２】第２の変形例の水切り籠が折り畳まれた状態を示す図である。
【符号の説明】
【００６０】
１０  シンク、  １２  蛇口、  ２０  水切り籠、  ３０  前側面部、  ３０ａ  連結部材、  ３０ｂ  左前側面部、  ３０ｃ  右前側面部、  ３０ｄ  棒部材、  ３０ｅ  連結部材、  ３０ｆ  連結棒部材、  ３０ｇ  線状部材、  ３２  後側面部、  ３２ａ  連結部材、  ３２ｂ  左後側面部、  ３２ｃ  右後側面部、  ３２ｄ  棒部材、  ３２ｅ  連結部材、  ３２ｆ  連結棒部材、  ３２ｇ  線状部材、  ３４  左側面部、  ３４ａ  架設部材、  ３４ｂ  調節部材、  ３４ｃ  滑り止め部材、  ３４ｄ  保持部材、  ３６  右側面部、  ３６ａ  架設部材、  ３６ｂ  調節部材、  ３６ｃ  滑り止め部材、  ３６ｄ  掛止部材、  ３８  底面部、  ３８ａ  固定底面部、  ３８ｂ  左可動底面部、  ３８ｃ  右可動底面部、  ３８ｄ  連結部材、  ３８ｅ  左中央底面部、  ３８ｆ  連結部材、  ３８ｇ  左端底面部、  ３８ｈ  左端底面部、  ３８ｉ  連結部材、  ３８ｊ  右中央底面部、  ３８ｋ  連結部材、  ３８ｌ  右端底面部、  ３８ｍ  右端底面部、  ３８ｎ  棒部材、  ３８ｏ  連結部材、  ３８ｐ  連結棒部材、  ３８ｑ  線状部材、  ３８ｒ  掛止部材、  ４０  突起配設部、  ４０ａ  回動部、  ４０ｂ  突起支持部、  ４０ｃ  突起部、  ４２  蓋部、  ４２ａ  掛止部、  ４２ｂ  通気孔。
【図１】
2010035749.tif 000003
【図２】
2010035749.tif 000004
【図３】
2010035749.tif 000005
【図４】
2010035749.tif 000006
【図５】
2010035749.tif 000007
【図６】
2010035749.tif 000008
【図７】
2010035749.tif 000009
【図８】
2010035749.tif 000010
【図９】
2010035749.tif 000011
【図１０】
2010035749.tif 000012
【図１１】
2010035749.tif 000013
【図１２】
2010035749.tif 000014